(57)【要約】  本開示は、コンピュータの技術分野に関連しているロック解除方法および装置、パスワード設定方法および装置を開示するものである。ロック解除方法は、次のステップを含む。すなわち、スクリーンの作動後、少なくとも１つのパスワードリングを表示する工程と、パスワードリングに対するスライド操作によって生成された記号を、パスワード選択領域内で受け付ける工程と、受け付けた記号が、プリセットされたパスワードにおける対応する記号と同じであるかどうかを判断する工程と、当該受け付けた記号が、プリセットされたパスワードにおける対応する記号と同じである場合には、スクリーンをロック解除する工程とを含む。本開示では、スクリーンをロック解除するために、記号を用いたパスワードリングを導入することにより、スライド操作だけの場合にスクリーン上に痕跡が残るという安全性の問題を解決し、また、パスワードを入力するときの誤操作を低減して、ユーザの利便性を向上させる。
2015506524.tif 000002
【特許請求の範囲】
【請求項１】
スクリーンの作動後、少なくとも１つのパスワードリングを表示する工程と、
上記パスワードリングに対するスライド操作によって生成された記号を、パスワード選択領域内で受け付ける工程と、
受け付けた記号が、プリセットされたパスワードにおける対応する記号と同じであるかどうかを判断し、当該受け付けた記号が、プリセットされたパスワードにおける対応する記号と同じである場合には、上記スクリーンをロック解除する工程とを含むロック解除方法。
【請求項２】
上記パスワードリングは、少なくとも１つの記号を用いて設定されており、
上記受け付ける工程は、特に、
ユーザからのスライド指示に従ったスライド操作を実行するために、上記パスワードリングを制御する工程と、
上記パスワードリング上の記号が、上記スライド操作により上記パスワード選択領域内にスライドし、スライドを止めたとき、当該記号を受け付ける工程とを含む請求項１に記載のロック解除方法。
【請求項３】
上記スクリーンをロック解除する工程は、
スクリーンに表示されたロックアイコンをロック解除アイコンに変更する工程と、
上記ロック解除アイコンが選択されたことを示す信号を受信したときに上記スクリーンをロック解除する工程とを含む請求項１に記載のロック解除方法。
【請求項４】
上記パスワードリングは、スライド操作を実行する対象となるコントロールであり、
上記記号は、スクリーンが作動するたびに、上記パスワードリング上にランダムに配置される請求項１〜３のいずれか１項に記載のロック解除方法。
【請求項５】
スクリーンの作動後、少なくとも１つのパスワードリングを表示するパスワードリング表示モジュールと、
上記パスワードリングに対するスライド操作によって生成された記号を、パスワード選択領域内で受け付ける記号受け付けモジュールと、
上記記号受け付けモジュールが受け付けた記号が、プリセットされたパスワードにおける対応する記号と同じであるかどうかを判断し、当該受け付けた記号が、プリセットされたパスワードにおける対応する記号と同じである場合には、上記スクリーンをロック解除するロック解除モジュールとを備えるロック解除装置。
【請求項６】
上記パスワードリングは、少なくとも１つの記号を用いて設定されており、
上記記号受け付けモジュールは、特に、
ユーザからのスライド指示に従ったスライド操作を実行するために、上記パスワードリングを制御するスライドユニットと、
上記パスワードリング上の記号が、上記スライド操作により上記パスワード選択領域内にスライドし、スライドを止めたとき、当該記号を受け付ける受け付けユニットとを備える請求項５に記載のロック解除装置。
【請求項７】
上記ロック解除モジュールは、特に、
上記記号受け付けモジュールが受け付けた記号が、プリセットされたパスワードにおける対応する記号と同じであるかどうかを判断し、当該受け付けた記号が、プリセットされたパスワードにおける対応する記号と同じである場合には、スクリーンに表示されたロックアイコンをロック解除アイコンに変更し、当該ロック解除アイコンが選択されたことを示す信号を受信したときに上記スクリーンをロック解除する請求項５に記載のロック解除装置。
【請求項８】
上記パスワードリングは、スライド操作を実行する対象となるコントロールであり、
上記記号は、スクリーンが作動するたびに、上記パスワードリング上にランダムに配置される請求項５〜７のいずれか１項に記載のロック解除装置。
【請求項９】
単数または複数の記号を用いて設定された少なくとも１つのパスワードシーケンスをスクリーン上に表示する工程と、
上記パスワードシーケンスから選択された単数または複数の記号を受け付ける工程と、
受け付けた単数または複数の記号に従って、パスワード表示領域内にパスワードを順番に表示する工程と、
上記パスワードを設定するために、パスワード確認領域内で、確認情報を受け付ける工程とを含むパスワード設定方法。
【請求項１０】
単数または複数の記号を用いて設定された少なくとも１つのパスワードシーケンスをスクリーン上に表示するパスワードシーケンス表示モジュールと、
上記パスワードシーケンスから選択された単数または複数の記号を受け付ける記号情報受け付けモジュールと、
受け付けた単数または複数の記号に従って、パスワード表示領域内にパスワードを順番に表示するパスワード表示モジュールと、
上記パスワードを設定するために、パスワード確認領域内で、確認情報を受け付けるパスワード設定モジュールとを備えるパスワード設定装置。
【発明の詳細な説明】
【発明の詳細な説明】
【０００１】
本出願は、２０１２年２月１５日に中国特許庁に手続され、かつ「ロック解除方法および装置、パスワード設定および装置」と表題が付与された中国特許出願２０１２１００３４０２１６号に対して優先権を主張するものであり、その全体を参照することにより、本明細書に組み込まれる。
【０００２】
〔技術分野〕
本開示は、コンピュータの技術分野、特にロック解除方法および装置、パスワード設定方法および装置に関する。
【０００３】
〔背景〕
タッチスクリーン技術の絶え間ない進歩により、タッチスクリーン端末（例えば、タッチスクリーンモバイルフォン、タッチスクリーンパーソナルコンピュータ等）は、様々な製造業者によって、ますます奥深い発展を遂げている。一般に、タッチスクリーン端末には、多くのプライベート情報が記憶されているので、プライベート情報を保護するために、タッチスクリーン端末が使用中ではないときには、ユーザは、たいていの場合、タッチスクリーン端末をロックする。同様に、タッチスクリーン端末内のアプリケーションを動作させる必要があるときには、ユーザは、まず、ロック解除操作により、タッチスクリーン端末のスクリーンをロック解除する必要があり、そのために、タッチスクリーン端末のアプリケーションインターフェースに入る必要がある。
【０００４】
従来技術には、より安全な２つのロック解除法がある。
【０００５】
（第１のロック解除法）
図１に示すように、タッチスクリーン端末のスクリーンがロックされた場合、タッチスクリーン端末のインターフェースの作動後に、タッチスクリーン端末のインターフェースにいくつかの選択可能領域が表示される。ロック解除操作は、上述の選択可能領域を、プリセットされたスライド経路に従って選択することにより実行される。ロック解除操作は、例えば、ｚ形状のスライド経路に従って、第１の行における全ての選択可能領域を左から右へと選択し、その後、第２の行における中間の選択可能領域を選択するように移動し、最後に、第３の行における全ての選択可能領域を左から右へと選択することにより実行される。この技術的な解決手法は、次のような不利な点を有する。すなわち、タッチスクリーン上に痕跡が残る可能性があり、プリセットされたスライド経路が単純すぎ、使用中には常に不変であるため、他者が容易にそのスライド経路を得てしまう可能性がある。したがって、このロック解除法は、安全性が低い。
【０００６】
（第２のロック解除法）
図２に示すように、タッチスクリーン端末のスクリーンがロックされた場合、タッチスクリーン端末のインターフェースの作動後に、タッチスクリーン端末のインターフェースに、ロック解除パスワードを入力するためのプロンプトボックスと、それと同時に、数字、文字、または句読点等のパスワードを形成するための一続きの記号が表示される。タッチスクリーン端末は、パスワードを表示するための固定領域内に、ユーザによって選択された記号（例えば、図中の数字「２」）を組み合わせて入力してもよい。パスワードが正しい場合には、スクリーンはロック解除されてもよい。この技術的な解決手法は、次のような不利な点を有する。すなわち、パスワードを入力することはより安全性が高いが、パスワード入力の誤操作が生じる可能性があり、また、１つずつ上述の記号を選択する必要があるため、パスワード入力処理が複雑になりすぎてしまい、タッチスクリーン端末上の選択操作を実行するのが非常に不便になる。
【０００７】
本開示の実施において、発明者らは、少なくとも従来技術の次の問題点を見出した。すなわち、上記ロック解除法は単純すぎ、上記ロック解除法のそれぞれは、上述のとおり、類似する不利な点を有する。したがって、改良された技術的な解決手法では、上述の問題点を解決することが要求される。
【０００８】
〔要旨〕
本開示の目的は、スクリーンをロック解除するために、スクリーンに表示されたパスワードリングをスライドさせることによりパスワードを入力することにより、スライド操作だけの場合にスクリーン上に痕跡が残るという安全性の問題を解決するとともに、パスワードを入力するときの誤操作を低減して、ユーザの利便性を向上させるロック解除方法およびロック解除装置を提供することである。
【０００９】
本開示の別の目的は、スクリーンに表示されたパスワードシーケンスに従ってタッチスクリーン端末に対してパスワードを設定するパスワード設定方法およびパスワード設定装置を提供することである。各パスワードシーケンスは、上述のロック解除方法およびロック解除装置におけるパスワードリングに対応する。端末に対してパスワードが設定された後、相応じて、設定されたパスワードは、上記ロック解除方法およびロック解除装置によってロック解除される。
【００１０】
本開示の目的を実現するために、本開示の実施形態は、ロック解除方法およびロック解除装置を提供する。その技術的な解決方法を、特に次に示す。
【００１１】
スクリーンの作動後、少なくとも１つのパスワードリングを表示する工程と、上記パスワードリングに対するスライド操作によって生成された記号を、パスワード選択領域内で受け付ける工程と、受け付けた記号が、プリセットされたパスワードにおける対応する記号と同じであるかどうかを判断し、当該受け付けた記号が、プリセットされたパスワードにおける対応する記号と同じである場合には、上記スクリーンをロック解除する工程とを含むロック解除方法。
【００１２】
さらに、上記パスワードリングは、少なくとも１つの記号を用いて設定されており、上記受け付ける工程は、特に、ユーザからのスライド指示に従ったスライド操作を実行するために上記パスワードリングを制御する工程と、上記パスワードリング上の記号が、上記スライド操作により上記パスワード選択領域内にスライドし、スライドを止めたとき、当該記号を受け付ける工程とを含む。
【００１３】
さらに、上記スクリーンをロック解除する工程は、スクリーンに表示されたロックアイコンをロック解除アイコンに変更する工程と、上記ロック解除アイコンが選択されたことを示す信号を受信したときにスクリーンをロック解除する工程とを含む。
【００１４】
さらに、上記パスワードリングは、スライド操作を実行する対象となるコントロールであり、上記記号は、スクリーンが作動するたびに、上記パスワードリング上にランダムに配置される。
【００１５】
スクリーンの作動後、少なくとも１つのパスワードリングを表示するパスワードリング表示モジュールと、上記パスワードリングに対するスライド操作によって生成された記号を、パスワード選択領域内で受け付ける記号受け付けモジュールと、上記記号受け付けモジュールが受け付けた記号が、プリセットされたパスワードにおける対応する記号と同じであるかどうかを判断し、当該受け付けた記号が、プリセットされたパスワードにおける対応する記号と同じである場合には、上記スクリーンをロック解除するロック解除モジュールとを備えるロック解除装置が提供される。
【００１６】
さらに、上記パスワードリングは、複数の記号を用いて設定されており、上記記号受け付けモジュールは、特に、ユーザからのスライド指示に従ったスライド操作を実行するために、上記パスワードリングを制御するスライドユニットと、上記パスワードリング上の記号が、上記スライド操作により上記パスワード選択領域内にスライドし、スライドを止めたとき、当該記号を受け付ける受け付けユニットとを備える。
【００１７】
さらに、上記ロック解除モジュールは、特に、上記記号受け付けモジュールが受け付けた記号が、プリセットされたパスワードにおける対応する記号と同じであるかどうかを判断し、当該受け付けた記号が、プリセットされたパスワードにおける対応する記号と同じである場合には、スクリーンに表示されたロックアイコンをロック解除アイコンに変更し、当該ロック解除アイコンが選択されたことを示す信号を受信したときに上記スクリーンをロック解除する。
【００１８】
さらに、上記パスワードリングは、スライド操作を実行する対象となるコントロールであり、上記記号は、スクリーンが作動するたびに、上記パスワードリング上にランダムに配置される。
【００１９】
本開示の上記実施形態によって提供される技術的な解決方法は、次の優位性を有している。
【００２０】
すなわち、スクリーンに表示されたパスワードリングをスライドさせることによりパスワードを入力し、入力されたパスワードとプリセットされたパスワードとを比較し、最後に、入力されたパスワードとプリセットされたパスワードとが同じ場合、スクリーンのロックをロック解除する。この構成により、スライド操作だけの場合にスクリーンに痕跡が残るという安全性の問題を解決するとともに、パスワードを入力するときの誤操作を低減し、ユーザの利便性を向上させる。
【００２１】
本開示の目的を実現するために、本開示は、さらにパスワード設定方法およびパスワード設定装置を提供する。その技術的な解決方法を、特に次に示す。
【００２２】
単数または複数の記号を用いて設定された少なくとも１つのパスワードシーケンスをスクリーン上に表示する工程と、上記パスワードシーケンスから選択された単数または複数の記号を受け付ける工程と、受け付けた単数または複数の記号に従って、パスワード表示領域内にパスワードを順番に表示する工程と、上記パスワードを設定するために、パスワード確認領域内で、確認情報を受け付ける工程とを含むパスワード設定方法が提供される。
【００２３】
単数または複数の記号を用いて設定された少なくとも１つのパスワードシーケンスをスクリーン上に表示するパスワードシーケンス表示モジュールと、上記パスワードシーケンスから選択された単数または複数の記号を受け付ける記号情報受け付けモジュールと、受け付けた単数または複数の記号に従って、パスワード表示領域内にパスワードを順番に表示するパスワード表示モジュールと、上記パスワードを設定するために、パスワード確認領域内で、確認情報を受け付けるパスワード設定モジュールとを備えるパスワード設定装置が提供される。
【００２４】
本開示の上記実施形態によって提供される技術的な解決方法は、次の優位性を有している。
【００２５】
すなわち、スクリーンに表示されたパスワードシーケンスに従って、タッチスクリーン端末に対してパスワードが設定される。各パスワードシーケンスは、上述のロック解除方法およびロック解除装置におけるパスワードリングに対応する。端末に対してパスワードが設定された後、相応じて、設定されたパスワードは、上記ロック解除方法およびロック解除装置によってロック解除される。
【００２６】
〔図面の簡単な説明〕
本開示の実施形態における技術的な解決方法をより明確に説明するために、実施形態の説明のために使用される添付図面は、以下の通り、簡潔に導入されるだろう。次の説明における添付図面が、本開示のいくつかの実施形態を単に示すものであることは明らかであり、さらに、当業者が、創作活動なしに、これらの添付図面から他の図面を導き出すことは可能であろう。
【００２７】
図１は、従来技術におけるスライド経路に従ったロック解除の概略図である。
【００２８】
図２は、従来技術におけるパスワード入力によるロック解除の概略図である。
【００２９】
図３は、本開示の実施形態１に係るロック解除方法のフローチャートである。
【００３０】
図４は、本開示の実施形態１に係る、タッチスクリーン端末がロック解除されるときの、パスワードリングを含む第１のスクリーンの概略図である。
【００３１】
図５は、本開示の実施形態１に係る、タッチスクリーン端末がロック解除されるときの、パスワードリングを含む第２のスクリーンの概略図である。
【００３２】
図６は、本開示の実施形態１に係る、タッチスクリーン端末がロック解除されるときの、パスワードリングを含む第３のスクリーンの概略図である。
【００３３】
図７は、本開示の実施形態１に係る、タッチスクリーン端末がロック解除されるときの、パスワードリングを含む第４のスクリーンの概略図である。
【００３４】
図８は、本開示の実施形態１に係る、タッチスクリーン端末がロック解除されるときの、パスワードリングを含む第５のスクリーンの概略図である。
【００３５】
図９は、本開示の実施形態１に係る、タッチスクリーン端末がロック解除されるときの、パスワードリングを含む第６のスクリーンの概略図である。
【００３６】
図１０は、本開示の実施形態１に係る、タッチスクリーン端末がロック解除されるときの、パスワードリングを含む第７のスクリーンの概略図である。
【００３７】
図１１は、本開示の実施形態１に係る、タッチスクリーン端末がロック解除されるときの、パスワードリングを含む第８のスクリーンの概略図である。
【００３８】
図１２は、本開示の実施形態２に係るロック解除装置の構成図である。
【００３９】
図１３は、本開示の実施形態３に係るパスワード設定方法のフローチャートである。
【００４０】
図１４は、本開示の実施形態３に係る、パスワードが設定されるときの第１のスクリーンの概略図である。
【００４１】
図１５は、本開示の実施形態３に係る、パスワードが設定されるときの第２のスクリーンの概略図である。
【００４２】
図１６は、本開示の実施形態３に係る、パスワードが設定されるときの第３のスクリーンの概略図である。
【００４３】
図１７は、本開示の実施形態３に係る、パスワードが設定されるときの第４のスクリーンの概略図である。
【００４４】
図１８は、本開示の実施形態４に係るパスワード設定装置の構成図である。
【００４５】
〔詳細な説明〕
本開示の目的、技術的な解決手法および優位性をより明確にするために、本開示の実施法は、さらに、添付図面を参照することにより、以下に示すように詳細に説明されるだろう。本明細書にて使用される「いくつかの」は、１つまたは１つより多いことを言及するものである。また、本明細書にて使用される「複数の」は、１つよりも多いことを言及するものである。また、本明細書にて使用される「少なくとも１つの」は１つまたは１つより多いことを言及するものである。
【００４６】
（実施形態１）
図３は、本開示の実施形態１に係るロック解除方法のフローチャートである。本実施形態によって提供されるロック解除方法は、例えば、タッチスクリーンモバイルフォン、タッチスクリーンパーソナルコンピュータ等のタッチスクリーンを有する端末に適用されてもよい。当該ロック解除方法は、次のステップを含む。
【００４７】
ステップ３１０：スクリーンの作動後、少なくとも１つのパスワードリングが表示される。
【００４８】
一般に、タッチスクリーン端末がロックされているときには、タッチスクリーン端末のアプリケーションインターフェースに入るために、プリセットされたパスワードを入力することが要求される。たいていの場合、本明細書で述べられるパスワードは記号列でよく、その記号には、句読点、数字、文字等が含まれてよい。ユーザは、パスワードによってスクリーンをロック解除したいとき、まず、スクリーンを作動させるためにスクリーンをタップする必要がある。この時点で、少なくとも１つのパスワードリングが、スクリーン上に表示されるだろう。
【００４９】
好ましくは、スクリーンの作動後、スクリーン上に表示される各パスワードリングが、複数の記号を含んでいてもよく、スクリーン上に表示される各パスワードリング上の記号は、スクリーンが作動するたびに、ランダムに配置されてもよい。
【００５０】
実際には、パスワードリングは、図４〜図１１を参照すれば、様々な形状であってよい。図４〜図７に示されるパスワードリングは、同心円状の円形のパスワードリングである。最内部のパスワードリングは、第１のパスワードリングとして規定され、中間のパスワードリングは、第２のパスワードリングとして規定され、最外部のパスワードリングは、第３のパスワードリングとして規定されてもよい。図８〜図１１に示されるパスワードリングは、線形のパスワードリングである。最上部のパスワードが第１のパスワードリングとして規定され、中間のパスワードリングが第２のパスワードリングとして規定され、最下部のパスワードリングが第３のパスワードリングとして規定される。
【００５１】
パスワードリングの配置順序または選択順序は、プリセットされたパスワードにおける記号の順序と関連付けられていてもよい。例えば、パスワードリングの配置順序または選択順序は、プリセットされたパスワードにおける記号の順序に対応していてもよい。具体的には、たいていの場合、パスワードの第１の記号が第１のパスワードリング上の記号に対応し、パスワードの第２の記号が第２のパスワードリング上の記号に対応し、パスワードの第３の記号が第３のパスワードリング上の記号に対応する。
【００５２】
記号を選択するときの利便性を保証するために、たいていの場合、各パスワードリングは、同じタイプの記号を用いて設定されてもよい。例えば、第１のパスワードリング上の全ての記号が句読点であり、第２のパスワードリング上の全ての記号が数字であり、第３のパスワードリング上の全ての記号が文字である。
【００５３】
実際には、パスワードリングの数は、必ずしも、上述したような３つだけに限られなくてもよい。１つ、２つ、または３つより多くのパスワードリングであってもよい。換言すれば、パスワードリングの数は、プリセットされたパスワードにおける記号の数と同じであってもよい。これは、プリセットされたパスワードが４つの記号からなる場合には、４つのパスワードリングが要求される可能性があるからである。例えば、プリセットされたパスワードが「＋１ＡＢ」ならば、この場合、４つのパスワードリングが設定されてもよく、第１のパスワードリングは様々な句読点を用いて設定され、第２のパスワードリングは様々な数字を用いて設定され、第３のパスワードリングは様々な文字を用いて設定され、第４のパスワードリングは様々な文字を用いて設定される。当然ながら、各パスワードリングにおける記号は、上述の条件に限られるものではない。例えば、各パスワードリングにおける記号は、句読点、数字、文字、および他の記号を同時に含んでいてもよいが、各パスワードリングが、パスワードにおいて対応する位置の記号と同じ記号を、確実に含んでいることが要求される。
【００５４】
スクリーンの幅または高さによって制限される、図８〜図１１に示されるようなパスワードリングでは、パスワードリング上の全ての記号が、１度にスクリーン上に表示されなくてもよいことに留意されるべきである。この場合、パスワードリングは、スライド式のパスワードリングとして設定されてもよい。表示されていないパスワードリング上の記号が、スライド操作により表示されてもよい。当業者は、このスライド式の技術を実施することができるので、本明細書では、当該技術を詳細には説明しない。
【００５５】
パスワードリングの形状が、図４〜図１１に示される形状だけに限定されないことに留意されるべきである。パスワードリングはまた、想像することが容易な他の形状において設定されてもよい。上記パスワードリングの形状は、本開示の実施形態の保護範囲への限定とみなされるべきではない。
【００５６】
ステップ３２０：パスワードリングに対するスライド操作によって生成された記号が、パスワード選択領域内で受け付けられる。
【００５７】
パスワード選択領域のセットアップは、次の２つの条件を含んでもよい。
【００５８】
まず、パスワード選択領域は、例えば図４に示すように、スクリーンの固定領域にプリセットされてもよい。この場合、ユーザは、パスワード選択領域内に、パスワードリング上の所望する記号を回転させるために、各パスワードリングをスライドさせる必要がある。換言すれば、パスワードリングは、ユーザのスライド指示に従ったスライド操作を実行するために制御される。パスワードリング上の記号が、スライド操作により固定されたパスワード選択領域にスライドし、スライドを止めたとき、当該記号が受け付けられる。例えば、プリセットされたパスワードが「＋１Ａ」である場合、図５に示すように、ユーザは、パスワード選択領域内に「＋」をスライドさせるために、第１のパスワードリングをスライドさせてもよい。その後、図６に示すように、パスワード選択領域内に「１」をスライドさせるために、第２のパスワードリングをスライドさせてもよい。そして最後に、図７に示すように、パスワード選択領域内に「Ａ」をスライドさせるために、第３のパスワードリングをスライドさせてもよい。上述の条件は、パスワードリングをスライドさせる順序が、パスワードにおける記号の順序と関連付けられていることを示唆している。つまり、パスワードリングをスライドさせる順序は、パスワードにおける記号の順序に対応している。パスワードリングをスライドさせる順序は、必ずしも、パスワードにおける記号の順序でなくてもよい。この場合、各パスワードリングにおける記号を回転およびスライドさせ、当該記号が、パスワード選択領域内でパスワードにおける記号に対応することのみ要求される。つまり、順序は、各パスワードリングのために設定されなくてもよい。例えば、パスワードリングの１つが、パスワード選択領域内に、パスワードにおける第１の記号に対応する記号をスライドさせるように任意にスライド可能であり、その後、残りのパスワードリングのいずれか１つが、パスワード選択領域内に、パスワードにおける第２の記号と対応する記号をスライドさせるように任意にスライド可能であり、以下同様であってよい。パスワード選択領域が、スクリーンの固定領域にプリセットされている場合、各パスワードリングが、回転またはスライド可能なパスワードリングとして設定されてもよいことに留意されるべきである。
【００５９】
第２に、パスワード選択領域はまた、例えば図４に示すように、パスワードリングの１つにおける、パスワードの第１の記号に対応する記号が選択された後に設定されてもよい。この場合、第１のパスワードリングは、回転またはスライド不可能な（固定されたパスワードリングと称されてもよい）パスワードリングとして設定されてもよい。一方、第２および第３のパスワードリングは、回転またはスライド可能なパスワードリングとして設定されてもよい（回転またはスライド可能なパスワードリングは、パスワードリング上の全ての記号を用いて設定されるべきコントロールによって実施されてもよい）。ユーザは、パスワードの第１の記号に従って、第１のパスワードリング上における対応する記号を選択してもよい。この時点で、パスワード選択領域は、選択された記号の位置に従って生成される。図５に示されるパスワード選択領域は、第１のパスワードリング上で選択された記号の位置を始点として扱うことにより、第１のパスワードリングの半径に沿って、外側へと放射された形状になる。パスワード選択領域は、最外部のパスワードリング（すなわち、図４〜図７に示す第３のパスワードリング）上の記号をカバーするような長さで、最外部のパスワードリングの円の外側へと延伸される。別例では、図８を参照すれば、第１のパスワードリングは、スライド不可能な（固定されたパスワードリングと称されてもよい）パスワードリングとして設定されてもよい。一方、第２および第３のパスワードリングは、スライド可能なパスワードリングとして設定されてもよい。ユーザは、パスワードの第１の記号に従って、第１のパスワードリング上における対応する記号を選択してもよい。この時点で、パスワード選択領域は、選択された記号の位置に従って生成される。図９に示されるパスワード選択領域は、第１のパスワードリング上で選択された記号の位置を始点として扱うことにより、最下部のパスワードリングまで延伸された領域である。パスワード選択領域は、最下部のパスワードリング（図８〜図１１に示す第３のパスワードリング）上の記号をカバーするような長さで、最下部のパスワードリングよりも下まで延伸される。パスワード選択領域が生成された後、操作可能なパスワードリングは、回転領域内に、パスワードにおける対応する記号をスライドさせるために、回転またはスライドする。つまり、パスワードリングは、ユーザのスライド指示に従ったスライド操作を実行するよう制御される。パスワードリング上の記号が、スライド操作によりパスワード選択領域にスライドし、スライドを止めたとき、当該記号が受け付けられる。たいていの場合、固定されたパスワードリングから選択された記号は、プリセットされたパスワードにおける第１の記号であり、残りの操作可能なパスワードリング上の記号は、上述と同様に選択されてもよい。つまり、操作可能なパスワードリングから記号を選択する順序は、パスワードにおける記号の順序に関連付けられていても、そうでなくてもよい。
【００６０】
実際には、ユーザは、２回以上、パスワード選択領域内に、パスワードリング上の複数の記号をスライドさせてもよい。たいていの場合、各パスワードリングにおいて、１つの記号のみが、パスワードにおける対応する記号として選択される。好ましくは、パスワード選択領域内に最後にスライドするパスワードリング上の記号が、選択された記号として用いられてもよい。
【００６１】
ステップ３３０：受け付けた記号が、プリセットされたパスワードにおける対応する記号と同じであるかどうかが判断され、当該受け付けた記号が、プリセットされたパスワードにおける対応する記号と同じである場合には、スクリーンをロック解除する。
【００６２】
好ましい実施形態では、受け付けた各記号が、プリセットされたパスワードにおける対応する記号と同じであるかどうかを判断することが必要である。受け付けた全ての記号が、プリセットされたパスワードにおける対応する記号と同じである場合には、スクリーン上に表示されたロックアイコンはロック解除アイコンに変更され、ロック解除アイコンが選択されたことを示す信号を受信したときに、スクリーンがロック解除される。
【００６３】
パスワード選択領域にパスワードリングをスライドさせる順序が、パスワードにおける記号の順序に対応しているとき、パスワード選択領域にスライドする記号が、パスワードにおける対応する記号と順番に比較される。パスワード選択領域内に順番にスライドした全ての記号が、パスワードにおける記号と１つずつ一致するとき、スクリーンはロック解除される。たいていの場合、パスワード回転領域内の全ての記号が、パスワードにおける記号と１つずつ同じであることが、比較によって見出されたとき、スクリーンはロック解除されてよい。この時点で、ロック解除するためのロックアイコンが、スクリーン上に表示されてもよい。このアイコンの、ロック解除状態への変更の優先度は、相対的に低い。つまり、ロックアイコンは、受け付けた全ての記号が、パスワードにおける対応する記号と同じであるときのみ、（ロックアイコンをロック解除アイコンに変更するように解釈されてもよい）ロック解除状態に変更されてもよい。ロックアイコンがロック解除状態に変更されたとき、つまり、ロックアイコンがロック解除アイコンに変更されたとき、ユーザがロックアイコンを選択またはクリックした場合に、つまり、ロック解除アイコンが選択されたことを示す信号を受信した場合に、スクリーンはロック解除される。
【００６４】
要するに、本開示の実施形態１によって提供されるロック解除方法は、スクリーン上に表示されたパスワードリングをスライドさせることにより、パスワードを受け付け、当該受け付けたパスワードを、プリセットされたパスワードと比較し、当該受け付けたパスワードがプリセットされたパスワードと同じである場合には、スクリーンをロック解除する。その結果、スライド操作だけの場合にスクリーン上に痕跡が残るという安全性の問題を解決し、また、パスワードを入力するときの誤操作を低減して、ユーザの利便性を向上させる。
【００６５】
（実施形態２）
図１２は、本開示の実施形態２に係るロック解除装置の構成図である。本実施形態によって提供されるロック解除装置は、例えば、タッチスクリーンモバイルフォン、タッチスクリーンパーソナルコンピュータ等のタッチスクリーンを有する端末に適用されてもよい。当該ロック解除装置は、パスワードリング表示モジュール６１０と、記号受け付けモジュール６２０と、ロック解除モジュール６３０とを含む。
【００６６】
パスワードリング表示モジュール６１０は、スクリーンの作動後に、少なくとも１つのパスワードリングを表示するように構成されている。
【００６７】
一般に、タッチスクリーン端末がロックされているときには、タッチスクリーン端末のアプリケーションインターフェースに入るために、プリセットされたパスワードを入力することが要求される。たいていの場合、本明細書で述べられるパスワードは記号列でよく、その記号には、句読点、数字、文字等が含まれてよい。ユーザは、パスワードによってスクリーンをロック解除したいとき、まず、スクリーンを作動させるためにスクリーンをタップする必要がある。この時点で、少なくとも１つのパスワードリングが、スクリーン上に表示されるだろう。
【００６８】
好ましくは、スクリーンの作動後、スクリーン上に表示される各パスワードリングが、複数の記号を含んでいてもよく、スクリーン上に表示される各パスワードリング上の記号は、スクリーンが作動するたびに、ランダムに配置されてもよい。
【００６９】
実際には、パスワードリングは、図４〜図１１を参照すれば、様々な形状であってよい。図４〜図７に示されるパスワードリングは、同心円状の円形のパスワードリングである。最内部のパスワードリングは第１のパスワードリングであり、中間のパスワードリングは第２のパスワードリングであり、最外部のパスワードリングは第３のパスワードリングである。図８〜図１１に示されるパスワードリングは、線形のパスワードリングである。最上部のパスワードが第１のパスワードリングであり、中間のパスワードリングが第２のパスワードリングであり、最下部のパスワードリングが第３のパスワードリングである。パスワードリングの配置順序または選択順序は、プリセットされたパスワードにおける記号の順序と関連付けられていてもよい。例えば、たいていの場合、パスワードの第１の記号が第１のパスワードリング上の記号に対応し、パスワードの第２の記号が第２のパスワードリング上の記号に対応し、パスワードの第３の記号が第３のパスワードリング上の記号に対応する。
【００７０】
記号を選択するときの利便性を保証するために、たいていの場合、各パスワードリングは、同じタイプの記号を用いて設定されてもよい。例えば、第１のパスワードリング上の全ての記号が句読点であり、第２のパスワードリング上の全ての記号が数字であり、第３のパスワードリング上の全ての記号が文字である。実際には、パスワードリングの数は、必ずしも、上述したような３つだけに限られなくてもよい。２つのパスワードリング、または３つより多くのパスワードリングであってもよい。換言すれば、パスワードリングの数は、プリセットされたパスワードにおける記号の数と同じであってもよい。その理由は、プリセットされたパスワードが４つの記号からなる場合には、４つのパスワードリングが要求される可能性があるからである。例えば、プリセットされたパスワードが「＋１ＡＢ」ならば、この場合、４つのパスワードリングが設定されてもよく、第１のパスワードリングは様々な句読点を用いて設定され、第２のパスワードリングは様々な数字を用いて設定され、第３のパスワードリングは様々な文字を用いて設定され、第４のパスワードリングは様々な文字を用いて設定される。当然ながら、各パスワードリングにおける記号は、上述の条件だけに限られるものではない。例えば、各パスワードリングにおける記号は、句読点、数字、文字、および他の記号を同時に含んでいてもよいが、各パスワードリングが、パスワードにおいて対応する位置の記号と同じ記号を、確実に含んでいることが要求される。
【００７１】
スクリーンの幅または高さによって制限される、図８〜図１１に示されるようなパスワードリングでは、パスワードリング上の全ての記号が、１度にスクリーン上に表示されなくてもよいことに留意されるべきである。この場合、パスワードリングは、スライド式のパスワードリングとして設定されてもよい。表示されていないパスワードリング上の記号が、スライド操作により表示されてもよい。当業者は、このスライド式の技術を実施することができるので、本明細書では、当該技術を詳細には説明しない。
【００７２】
パスワードリングの形状が、図４〜図１１に示される形状だけに限定されないことに留意されるべきである。パスワードリングはまた、想像することが容易な他の形状において設定されてもよい。上記パスワードリングの形状は、本開示の保護範囲への限定とみなされるべきではない。
【００７３】
記号受け付けモジュール６２０は、パスワードリングに対するスライド操作によって生成された記号を、パスワード選択領域内で受け付けるように構成されている。記号受け付けモジュール６２０は、スライドユニットと受け付けユニットとを含む。スライドユニットは、ユーザからのスライド指示に従ったスライド操作を実行するために、パスワードリングを制御するように構成されている。受け付けモジュールは、パスワードリング上の記号が、スライド操作によりパスワード選択領域内にスライドし、スライドを止めたとき、当該記号を受け付けるように、パスワード選択領域に命令するように構成されている。
【００７４】
パスワード選択領域のセットアップは、次の２つの条件を含んでもよい。
【００７５】
まず、パスワード選択領域は、例えば図４に示すように、スクリーンの固定領域にプリセットされてもよい。この場合、ユーザは、パスワード選択領域内に、パスワードリング上の所望する記号を回転させるために、各パスワードリングをスライドさせる必要がある。つまり、パスワードリングは、ユーザのスライド指示に従ったスライド操作を実行するために制御される。パスワードリング上の記号が、スライド操作により固定されたパスワード選択領域にスライドし、スライドを止めたとき、当該記号が受け付けられる。例えば、プリセットされたパスワードが「＋１Ａ」である場合、図５に示すように、ユーザは、パスワード選択領域内に「＋」をスライドさせるために、第１のパスワードリングをスライドさせてもよい。その後、図６に示すように、パスワード選択領域内に「１」をスライドさせるために、第２のパスワードリングをスライドさせてもよい。そして最後に、図７に示すように、パスワード選択領域内に「Ａ」をスライドさせるために、第３のパスワードリングをスライドさせてもよい。上述の条件は、パスワードリングをスライドさせる順序が、パスワードにおける記号の順序と関連付けられていることを示唆している。当然ながら、パスワードリングをスライドさせる順序は、パスワードにおける記号の順序を表していなくてもよい。この場合、各パスワードリングにおける記号を回転およびスライドさせ、当該記号が、パスワード選択領域内でパスワードにおける記号に対応することのみ要求される。つまり、順序は、各パスワードリングのために設定されなくてもよい。例えば、パスワードリングの１つが、パスワード選択領域内に、パスワードにおける第１の記号に対応する記号をスライドさせるように任意にスライド可能であり、その後、残りのパスワードリングのいずれか１つが、パスワード選択領域内に、パスワードにおける第２の記号に対応する記号をスライドさせるように任意にスライド可能であり、以下同様であってよい。パスワード選択領域が、スクリーンの固定領域にプリセットされている場合、各パスワードリングが、回転またはスライド可能なパスワードリングとして設定されてもよいことに留意されるべきである。
【００７６】
第２に、パスワード選択領域はまた、例えば図４に示すように、パスワードリングの１つにおける、パスワードの第１の記号に対応する記号が選択された後に設定されてもよい。この場合、第１のパスワードリングは、回転またはスライド不可能な（固定されたパスワードリングと称されてもよい）パスワードリングとして設定されてもよい。一方、第２および第３のパスワードリングは、回転またはスライド可能なパスワードリングとして設定されてもよい。ユーザは、パスワードの第１の記号に従って、第１のパスワードリング上における対応する記号を選択してもよい。この時点で、パスワード選択領域は、選択された記号の位置に従って生成される。図５に示されるパスワード選択領域は、第１のパスワードリング上で選択された記号の位置を始点として扱うことにより、第１のパスワードリングの半径に沿って、外側へと放射された形状になる。パスワード選択領域は、最外部のパスワードリング（すなわち、図４〜図７に示す第３のパスワードリング）上の記号をカバーするような長さで、最外部のパスワードリングの円の外側へと延伸される。別例では、図８を参照すれば、第１のパスワードリングは、スライド不可能な（固定されたパスワードリングと称されてもよい）パスワードリングとして設定されてもよい。一方、第２および第３のパスワードリングは、スライド可能なパスワードリングとして設定されてもよい。ユーザは、パスワードの第１の記号に従って、第１のパスワードリング上における対応する記号を選択してもよい。この時点で、パスワード選択領域は、選択された記号の位置に従って生成される。図９に示されるパスワード選択領域は、第１のパスワードリング上で選択された記号の位置を始点として扱うことにより、最下部のパスワードリングまで延伸された領域である。パスワード選択領域は、最下部のパスワードリング（図８〜図１１に示す第３のパスワードリング）上の記号をカバーするような長さで、最下部のパスワードリングよりも下まで延伸される。パスワード選択領域が生成された後、操作可能なパスワードリングは、選択領域内に、パスワードにおける対応する記号をスライドさせるために、回転またはスライドする。換言すれば、パスワードリングは、ユーザのスライド指示に従ったスライド操作を実行するよう制御される。パスワードリング上の記号が、スライド操作によりパスワード選択領域にスライドし、スライドを止めたとき、当該記号が受け付けられる。この時点で、固定されたパスワードリングから選択された記号は、プリセットされたパスワードにおける第１の記号であり、残りの操作可能なパスワードリング上の記号は、上述と同様に選択されてもよい。つまり、操作可能なパスワードリングから記号を選択する順序は、パスワードにおける記号の順序に関連付けられていても、そうでなくてもよい。
【００７７】
ロック解除モジュール６３０は、受け付けた記号が、プリセットされたパスワードにおける対応する記号と同じであるかどうかを判断し、当該受け付けた記号が、プリセットされたパスワードにおける対応する記号と同じである場合には、スクリーンをロック解除する。
【００７８】
好ましい実施形態では、受け付けた各記号が、プリセットされたパスワードにおける対応する記号と同じであるかどうかを判断することが必要である。受け付けた全ての記号が、プリセットされたパスワードにおける対応する記号と同じである場合には、スクリーン上に表示されたロックアイコンはロック解除アイコンに変更され、ロック解除アイコンが選択されたことを示す信号を受信したときに、スクリーンがロック解除される。
【００７９】
パスワード選択領域にパスワードリングをスライドさせる順序が、パスワードにおける記号の順序と関係付けられているとき、パスワード選択領域にスライドする記号が、パスワードにおける対応する記号と順番に比較される。パスワード選択領域内に順番にスライドした全ての記号が、パスワードにおける記号と１つずつ一致するとき、スクリーンはロック解除される。たいていの場合、パスワード回転領域内の全ての記号が、パスワードにおける記号と１つずつ同じであることが、比較によって見出されたとき、スクリーンはロック解除されてよい。この時点で、ロック解除するためのロックアイコンが、スクリーン上に表示されてもよい。このアイコンの、ロック解除状態への変更の優先度は、相対的に低い。換言すれば、ロックアイコンは、受け付けた全ての記号が、パスワードにおける対応する記号と同じであるときのみ、（ロックアイコンをロック解除アイコンに変更するように解釈されてもよい）ロック解除状態に変更されてもよい。ロックアイコンがロック解除状態に変更されたとき、つまり、ロックアイコンがロック解除アイコンに変更されたとき、ユーザがロックアイコンを選択またはクリックした場合に、つまり、ロック解除アイコンが選択されたことを示す信号を受信した場合に、スクリーンはロック解除される。
【００８０】
本実施形態によって提供されるロック解除装置は、本開示の実施形態が説明されるときの一例としてのみ、上述の全ての機能的なモジュールに分割されることにより描かれていることに留意されるべきである。しかしながら、実際には、上述の機能は、実際の必要性に従って、様々な機能的なモジュールで実施されてもよい。つまり、上記装置の内部構成は、上述した機能の全てまたは一部を達成するために、様々な機能的なモジュールに分割されてもよい。加えて、本実施形態によって提供されるロック解除装置と、上記ロック解除方法の実施形態とは、同じ考えに基づいている。具体的な実施処理は、上記方法の実施形態に開示されているので、ここでは繰り返さない。
【００８１】
要するに、本開示の実施形態２によって提供されるロック解除装置は、スクリーン上に表示されたパスワードリングをスライドさせることにより、パスワードを受け付け、当該受け付けたパスワードを、プリセットされたパスワードと比較し、当該受け付けたパスワードがプリセットされたパスワードと同じである場合には、スクリーンをロック解除する。その結果、スライド操作だけの場合にスクリーン上に痕跡が残るという安全性の問題を解決することができ、また、パスワードを入力するときの誤操作を低減して、ユーザの利便性を向上させることができる。
【００８２】
上述のロック解除技術に関しては、ユーザがパスワードを介してスクリーンをロック解除できるように、まず、タッチスクリーン端末上で対応するパスワードを設定することが要求される。タッチスクリーン端末でのパスワードの設定処理は、図１３〜図１９に関連して与えられる説明を参照してもよい。
【００８３】
（実施形態３）
図１３は、本開示の実施形態３に係るパスワード設定方法のフローチャートである。本実施形態によって提供されるパスワード設定方法は、例えば、タッチスクリーンモバイルフォン、タッチスクリーンパーソナルコンピュータ等のタッチスクリーンを有する端末に適用されてもよい。当該パスワード設定方法は、次のステップを含む。
【００８４】
ステップ７１０：単数または複数の記号を用いて設定された少なくとも１つのパスワードシーケンスが、スクリーン上に表示される。
【００８５】
一般に、パスワードシーケンスの数は、パスワードにおける記号の数に関連付けられている。例えば、パスワードシーケンスの数は、パスワードにおける記号の数と同じである。具体的には、パスワードシーケンスが３つあるとき、パスワードにおいて３つの記号が設定されてもよい。各パスワードシーケンスは、同じタイプの記号からなっていてもよい。図１４を参照すれば、第１のパスワードシーケンス（内部リング）は句読点のみからなり、第２のパスワードシーケンス（中間リング）は数字のみからなり、第３のパスワードシーケンス（外部リング）は文字のみからなる。実際には、パスワードが設定されるときのパスワードシーケンスは、パスワードが１つずつロック解除されるときのパスワードリングに対応している。例えば、内部リングは、パスワードがロック解除されるときの、図４〜図７に示す最内部パスワードリングに対応していてもよく、中間リングは、パスワードがロック解除されるときの、図４〜図７に示す中間パスワードに対応していてもよく、外部リングは、パスワードがロック解除されるときの、図４〜図７に示す最外部パスワードリングに対応していてもよい。
【００８６】
一般に、パスワードシーケンスは、スライド可能なコントロールとして設定されてもよく、当該コントロールは、パスワードシーケンス上にいくつかの記号を用いて設定される。同様に、各パスワードシーケンスでは、パスワードシーケンス上の全ての記号が、スライド操作により引き出されてもよい。例えば、パスワードにおける第１の記号が句読点でなければならない場合、この記号を設定するためのパスワードシーケンスは、設定される可能性がある全ての句読点を含んでいる必要があるので、パスワードシーケンス上の全ての句読点は、当該パスワードシーケンスを引き出すことにより引き出されてもよい。あるいは、パスワードシーケンスは、スライド不可能ないくつかのコントロールの組み合わせとして設定されてもよく、当該コントロールのそれぞれは、記号を用いて設定される。同様に、各パスワードシーケンスは、パスワードにおいて設定される可能性がある全ての記号を表示し、含んでいる必要がある。例えば、パスワードにおける第１の記号が句読点である場合、当該パスワードにおける第１の記号を設定するためのパスワードシーケンスは、全ての句読点を一度に表示する必要がある。
【００８７】
加えて、各パスワードシーケンスはまた、句読点、数字および文字を組み合わせることによって形成されてもよい。この場合、設定されたパスワードは、同じ記号を有していてもよい。
【００８８】
ステップ７２０：パスワードシーケンスから選択された単数または複数の記号が受け付けられる。
【００８９】
ユーザが各パスワードシーケンスから記号を選択するとき、タッチスクリーン端末の内部プロセッサは、各パスワードシーケンスから選択された記号を受け付けてもよい。
【００９０】
ステップ７３０：パスワードは、受け付けた単数または複数の記号に従って、パスワード表示領域内に順番に表示される。
【００９１】
一般に、ユーザは、パスワードシーケンスの順序に従って、パスワードシーケンス上の記号を選択してもよい。例えば、パスワードにおける第１の記号は、第１のパスワードシーケンスから選択されたときのみ有効であり、パスワードにおける第２の記号は、第２のパスワードシーケンスから選択されたときのみ有効であり、以下同様である。例えば、図１４に示されるようなパスワードでは、第１の記号「＋」は、図１５に示されるように、第１のパスワードシーケンス（内部リング）から選択されたときのみ有効であり、第２の記号「１」は、図１６に示されるように、第２のパスワードシーケンス（中間リング）から選択されたときのみ有効であり、第３の記号「Ａ」は、図１７に示されるように、第３のパスワードシーケンス（外部リング）から選択されたときのみ有効である。
【００９２】
当然ながら、パスワードの表示はまた、パスワードシーケンスの順序とは独立していてもよい。パスワードシーケンスのうちの１つから選択された第１の記号は、パスワードにおける第１の記号として用いられてもよく、上述のパスワードシーケンス以外のパスワードシーケンスから選択された第２の記号は、パスワードにおける第２の記号として用いられてもよく、以下同様であってよい。例えば、最初に、第２のパスワードシーケンスにおける記号「２」が選択され、２番目に、第１のパスワードシーケンスにおける記号「＋」が選択され、３番目に、第３のパスワードシーケンスにおける記号「Ａ」が選択された場合には、結果として得られるプリセットされたパスワードは、「２＋Ａ」となる。
【００９３】
たいていの場合、各パスワードリング上の記号が、パスワードシーケンスにおける記号と１つずつ対応することを保証するために、パスワードを形成する記号として、各パスワードシーケンスから１つの記号のみが選択されてもよい。例えば、同じパスワードシーケンスにおける２つの記号が、連続して選択される場合、後の記号のみが、パスワードを形成する記号として用いられる。別例では、同じパスワードシーケンスにおける複数の記号が、連続して選択される場合、最後の記号のみが、パスワードを形成する記号として用いられる。
【００９４】
ステップ７４０：パスワードを設定するために、パスワード確認領域内で、承認情報が受け付けられる。
【００９５】
パスワード確認領域は、確認操作に用いられる「確認」ボタンであってもよい。パスワード確認領域内に表示されるパスワードが、ユーザによって設定されるパスワードであるとき、ユーザは、上述のパスワードを設定するために、パスワード確認領域を選択またはクリックしてもよい（つまり、パスワード確認領域は、確認情報を受け付ける）。設定後、タッチスクリーン端末がロック解除される必要があるときには、スクリーンをロック解除するために、パスワードを入力することが要求される。
【００９６】
要するに、本開示の実施形態３によって提供されるパスワード設定方法は、様々なパスワードシーケンスに関して、スクリーン上にパスワードを設定してもよく、上述したロック解除技術とともに用いられる。つまり、上述のパスワードシーケンスは、パスワードリングに１つずつマッピングされる。結果として、タッチスクリーン端末は、パスワードによってロック解除される。これは、スライド操作だけの場合にスクリーン上に痕跡が残るという安全性の問題を解決するだけでなく、パスワードを入力するときの誤操作を低減して、ユーザの利便性を向上させる。
【００９７】
（実施形態４）
図１８は、本開示の実施形態４に係るパスワード設定装置の構成図である。本実施形態によって提供されるパスワード設定装置は、例えば、タッチスクリーンモバイルフォン、タッチスクリーンパーソナルコンピュータ等のタッチスクリーンを有する端末に適用されてもよい。パスワード設定装置は、パスワードシーケンス表示モジュール９１０と、記号情報受け付けモジュール９２０と、パスワード表示モジュール９３０と、パスワード設定モジュール９４０とを含む。
【００９８】
パスワードシーケンス表示モジュール９１０は、少なくとも１つのパスワードシーケンスを、スクリーン上に表示するように構成されている。
【００９９】
一般に、パスワードシーケンスの数は、パスワードにおける記号の数に関連付けられている。例えば、パスワードシーケンスが３つあるとき、パスワードにおいて３つの記号が設定されてもよい。各パスワードシーケンスは、同じタイプの記号からなっていてもよい。図１４を参照すれば、第１のパスワードシーケンス（内部リング）は句読点のみからなり、第２のパスワードシーケンス（中間リング）は数字のみからなり、第３のパスワードシーケンス（外部リング）は文字のみからなる。実際には、パスワードが設定されるときのパスワードシーケンスは、パスワードが１つずつロック解除されるときのパスワードリングに対応している。例えば、内部リングは、パスワードがロック解除されるときの、図４〜図７に示す最内部パスワードリングに対応していてもよく、中間リングは、パスワードがロック解除されるときの、図４〜図７に示す中間パスワードに対応していてもよく、外部リングは、パスワードがロック解除されるときの、図４〜図７に示す最外部パスワードリングに対応していてもよい。
【０１００】
別の実施形態では、各パスワードシーケンスはまた、句読点、数字および文字を組み合わせることによって形成されてもよい。
【０１０１】
記号情報受け付けモジュール９２０は、単数または複数の記号を用いて設定されたパスワードシーケンスから選択された単数または複数の記号を受け付けるように構成されている。
【０１０２】
パスワード表示モジュール９３０は、受け付けた記号に従って、パスワード表示領域内にパスワードを順番に表示するように構成されている。
【０１０３】
一般に、ユーザは、パスワードシーケンスの順序に従って、パスワードシーケンス上の記号を選択してもよい。例えば、パスワードにおける第１の記号は、第１のパスワードシーケンスから選択されたときのみ有効であり、パスワードにおける第２の記号は、第２のパスワードシーケンスから選択されたときのみ有効であり、以下同様である。例えば、図１４に示されるようなパスワードでは、第１の記号「＋」は、図１５に示されるように、第１のパスワードシーケンス（内部リング）から選択されたときのみ有効であり、第２の記号「１」は、図１６に示されるように、第２のパスワードシーケンス（中間リング）から選択されたときのみ有効であり、第３の記号「Ａ」は、図１７に示されるように、第３のパスワードシーケンス（外部リング）から選択されたときのみ有効である。
【０１０４】
当然ながら、パスワードの表示はまた、パスワードシーケンスの順序とは独立していてもよい。パスワードシーケンスのうちの１つから選択された第１の記号は、パスワードにおける第１の記号として用いられてもよく、上述のパスワードシーケンス以外のパスワードシーケンスから選択された第２の記号は、パスワードにおける第２の記号として用いられてもよく、以下同様であってよい。例えば、最初に、第２のパスワードシーケンスにおける記号「２」が選択され、２番目に、第１のパスワードシーケンスにおける記号「＋」が選択され、３番目に、第３のパスワードシーケンスにおける記号「Ａ」が選択された場合には、結果として得られるプリセットされたパスワードは、「２＋Ａ」となる。
【０１０５】
たいていの場合、各パスワードリング上の記号が、パスワードシーケンスにおける記号と１つずつ対応することを保証するために、パスワードを形成する記号として、各パスワードシーケンスから１つの記号のみが選択されてもよい。例えば、同じパスワードシーケンスにおける２つの記号が、連続して選択される場合、後の記号のみが、パスワードを形成する記号として用いられる。別例では、同じパスワードシーケンスにおけるいくつかの記号が、連続して選択される場合、最後の記号のみが、パスワードを形成する記号として用いられる。
【０１０６】
パスワード設定モジュール９４０は、パスワードを設定するために、パスワード確認領域内で、確認情報を受け付けるように構成されている。
【０１０７】
パスワード確認領域は、確認操作に用いられる「確認」ボタンであってもよい。パスワード確認領域内に表示されるパスワードが、ユーザによって設定されるパスワードであるとき、ユーザは、上述のパスワードを設定するために、パスワード確認領域を選択またはクリックしてもよい。設定後、タッチスクリーン端末がロック解除される必要があるときには、スクリーンをロック解除するために、パスワードを入力することが要求される。
【０１０８】
本実施形態によって提供されるパスワード設定装置は、本開示の実施形態が説明されるときの一例としてのみ、上述の全ての機能的なモジュールに分割されることにより描かれていることに留意されるべきである。しかしながら、実際には、上述の機能は、実際の必要性に従って、様々な機能的なモジュールで実施されてもよい。つまり、上記装置の内部構成は、上述した機能の全てまたは一部を達成するために、様々な機能的なモジュールに分割されてもよい。加えて、本実施形態によって提供されるパスワード設定装置と、上記パスワード設定方法の実施形態とは、同じ考えに基づいている。具体的な実施処理は、上記方法の実施形態に開示されているので、ここでは繰り返さない。
【０１０９】
要するに、本開示の実施形態４によって提供されるパスワード設定装置は、様々なパスワードシーケンスに関して、スクリーン上にパスワードを設定してもよく、上述したロック解除技術とともに用いられる。つまり、上述のパスワードシーケンスは、パスワードリングに１つずつマッピングされる。結果として、タッチスクリーン端末は、パスワードによってロック解除される。これは、スライド操作だけの場合にスクリーン上に痕跡が残るという安全性の問題を解決し、また、パスワードを入力するときの誤操作を低減して、ユーザの利便性を向上させる。
【０１１０】
当業者は、前述の実施形態のステップの全てまたは一部が、ハードウェア、または関連するハードウェアを指示するプログラムによって実施されてもよいことを理解できる。当該プログラムは、コンピュータ読み取り可能な記録媒体に記録されていてもよい。記録媒体は、読み取り専用メモリ、磁気ディスク、光ディスク等であってもよい。
【０１１１】
前述の説明は、単に、本開示の好ましい実施形態であり、本開示を限定する意図はない。本開示の精神および原理の範囲内でなされる、あらゆる変更、同等の置換、および改良も、本開示の保護範囲内にあるだろう。
【図面の簡単な説明】
【０１１２】
【図１】図１は、従来技術におけるスライド経路に従ったロック解除の概略図である。
【図２】図２は、従来技術におけるパスワード入力によるロック解除の概略図である。
【図３】図３は、本開示の実施形態１に係るロック解除方法のフローチャートである。
【図４】図４は、本開示の実施形態１に係る、タッチスクリーン端末がロック解除されたときの、パスワードリングを含む第１のスクリーンの概略図である。
【図５】図５は、本開示の実施形態１に係る、タッチスクリーン端末がロック解除されたときの、パスワードリングを含む第２のスクリーンの概略図である。
【図６】図６は、本開示の実施形態１に係る、タッチスクリーン端末がロック解除されたときの、パスワードリングを含む第３のスクリーンの概略図である。
【図７】図７は、本開示の実施形態１に係る、タッチスクリーン端末がロック解除されたときの、パスワードリングを含む第４のスクリーンの概略図である。
【図８】図８は、本開示の実施形態１に係る、タッチスクリーン端末がロック解除されたときの、パスワードリングを含む第５のスクリーンの概略図である。
【図９】図９は、本開示の実施形態１に係る、タッチスクリーン端末がロック解除されたときの、パスワードリングを含む第６のスクリーンの概略図である。
【図１０】図１０は、本開示の実施形態１に係る、タッチスクリーン端末がロック解除されたときの、パスワードリングを含む第７のスクリーンの概略図である。
【図１１】図１１は、本開示の実施形態１に係る、タッチスクリーン端末がロック解除されたときの、パスワードリングを含む第８のスクリーンの概略図である。
【図１２】図１２は、本開示の実施形態２に係るロック解除装置の構成図である。
【図１３】図１３は、本開示の実施形態３に係るパスワード設定方法のフローチャートである。
【図１４】図１４は、本開示の実施形態３に係る、パスワードが設定されたときの第１のスクリーンの概略図である。
【図１５】図１５は、本開示の実施形態３に係る、パスワードが設定されたときの第２のスクリーンの概略図である。
【図１６】図１６は、本開示の実施形態３に係る、パスワードが設定されたときの第３のスクリーンの概略図である。
【図１７】図１７は、本開示の実施形態３に係る、パスワードが設定されたときの第４のスクリーンの概略図である。
【図１８】図１８は、本開示の実施形態４に係るパスワード設定装置の構成図である。
【図１】
2015506524.tif 000003
【図２】
2015506524.tif 000004
【図３】
2015506524.tif 000005
【図４】
2015506524.tif 000006
【図５】
2015506524.tif 000007
【図６】
2015506524.tif 000008
【図７】
2015506524.tif 000009
【図８】
2015506524.tif 000010
【図９】
2015506524.tif 000011
【図１０】
2015506524.tif 000012
【図１１】
2015506524.tif 000013
【図１２】
2015506524.tif 000014
【図１３】
2015506524.tif 000015
【図１４】
2015506524.tif 000016
【図１５】
2015506524.tif 000017
【図１６】
2015506524.tif 000018
【図１７】
2015506524.tif 000019
【図１８】
2015506524.tif 000020
【手続補正書】
【提出日】平成26年8月8日(2014.8.8)
【手続補正２】
【補正対象書類名】明細書
【補正対象項目名】００５９
【補正方法】変更
【補正の内容】
【００５９】
第２に、パスワード選択領域はまた、例えば図４に示すように、パスワードリングの１つにおける、パスワードの第１の記号に対応する記号が選択された後に設定されてもよい。この場合、第１のパスワードリングは、回転またはスライド不可能な（固定されたパスワードリングと称されてもよい）パスワードリングとして設定されてもよい。一方、第２および第３のパスワードリングは、回転またはスライド可能なパスワードリングとして設定されてもよい（回転またはスライド可能なパスワードリングは、パスワードリング上の全ての記号を用いて設定されるべきコントロールによって実施されてもよい）。ユーザは、パスワードの第１の記号に従って、第１のパスワードリング上における対応する記号を選択してもよい。この時点で、パスワード選択領域は、選択された記号の位置に従って生成される。図５に示されるパスワード選択領域は、第１のパスワードリング上で選択された記号の位置を始点として扱うことにより、第１のパスワードリングの半径に沿って、外側へと放射された形状になる。パスワード選択領域は、最外部のパスワードリング（すなわち、図４〜図７に示す第３のパスワードリング）上の記号をカバーするような長さで、最外部のパスワードリングの円の外側へと延伸される。別例では、図８を参照すれば、第１のパスワードリングは、スライド不可能な（固定されたパスワードリングと称されてもよい）パスワードリングとして設定されてもよい。一方、第２および第３のパスワードリングは、スライド可能なパスワードリングとして設定されてもよい。ユーザは、パスワードの第１の記号に従って、第１のパスワードリング上における対応する記号を選択してもよい。この時点で、パスワード選択領域は、選択された記号の位置に従って生成される。図９に示されるパスワード選択領域は、第１のパスワードリング上で選択された記号の位置を始点として扱うことにより、最下部のパスワードリングまで延伸された領域である。パスワード選択領域は、最下部のパスワードリング（図８〜図１１に示す第３のパスワードリング）上の記号をカバーするような長さで、最下部のパスワードリングよりも下まで延伸される。パスワード選択領域が生成された後、操作可能なパスワードリングは、選択領域内に、パスワードにおける対応する記号をスライドさせるために、回転またはスライドする。つまり、パスワードリングは、ユーザのスライド指示に従ったスライド操作を実行するよう制御される。パスワードリング上の記号が、スライド操作によりパスワード選択領域にスライドし、スライドを止めたとき、当該記号が受け付けられる。たいていの場合、固定されたパスワードリングから選択された記号は、プリセットされたパスワードにおける第１の記号であり、残りの操作可能なパスワードリング上の記号は、上述と同様に選択されてもよい。つまり、操作可能なパスワードリングから記号を選択する順序は、パスワードにおける記号の順序に関連付けられていても、そうでなくてもよい。
【手続補正３】
【補正対象書類名】明細書
【補正対象項目名】００６３
【補正方法】変更
【補正の内容】
【００６３】
パスワード選択領域にパスワードリングをスライドさせる順序が、パスワードにおける記号の順序に対応しているとき、パスワード選択領域にスライドする記号が、パスワードにおける対応する記号と順番に比較される。パスワード選択領域内に順番にスライドした全ての記号が、パスワードにおける記号と１つずつ一致するとき、スクリーンはロック解除される。たいていの場合、パスワード選択領域内の全ての記号が、パスワードにおける記号と１つずつ同じであることが、比較によって見出されたとき、スクリーンはロック解除されてよい。この時点で、ロック解除するためのロックアイコンが、スクリーン上に表示されてもよい。このアイコンの、ロック解除状態への変更の優先度は、相対的に低い。つまり、ロックアイコンは、受け付けた全ての記号が、パスワードにおける対応する記号と同じであるときのみ、（ロックアイコンをロック解除アイコンに変更するように解釈されてもよい）ロック解除状態に変更されてもよい。ロックアイコンがロック解除状態に変更されたとき、つまり、ロックアイコンがロック解除アイコンに変更されたとき、ユーザがロックアイコンを選択またはクリックした場合に、つまり、ロック解除アイコンが選択されたことを示す信号を受信した場合に、スクリーンはロック解除される。
【手続補正４】
【補正対象書類名】明細書
【補正対象項目名】００７９
【補正方法】変更
【補正の内容】
【００７９】
パスワード選択領域にパスワードリングをスライドさせる順序が、パスワードにおける記号の順序と関係付けられているとき、パスワード選択領域にスライドする記号が、パスワードにおける対応する記号と順番に比較される。パスワード選択領域内に順番にスライドした全ての記号が、パスワードにおける記号と１つずつ一致するとき、スクリーンはロック解除される。たいていの場合、パスワード選択領域内の全ての記号が、パスワードにおける記号と１つずつ同じであることが、比較によって見出されたとき、スクリーンはロック解除されてよい。この時点で、ロック解除するためのロックアイコンが、スクリーン上に表示されてもよい。このアイコンの、ロック解除状態への変更の優先度は、相対的に低い。換言すれば、ロックアイコンは、受け付けた全ての記号が、パスワードにおける対応する記号と同じであるときのみ、（ロックアイコンをロック解除アイコンに変更するように解釈されてもよい）ロック解除状態に変更されてもよい。ロックアイコンがロック解除状態に変更されたとき、つまり、ロックアイコンがロック解除アイコンに変更されたとき、ユーザがロックアイコンを選択またはクリックした場合に、つまり、ロック解除アイコンが選択されたことを示す信号を受信した場合に、スクリーンはロック解除される。
【国際調査報告】
2015506524.tif 000021
2015506524.tif 000022
2015506524.tif 000023
2015506524.tif 000024
2015506524.tif 000025
2015506524.tif 000026